(57)【要約】【課題】２チャンネル以下の音声を出力するための内蔵スピーカ等と、マルチチャンネルステレオ音声を出力可能な外部の音声アンプ等へ音声信号を出力する光デジタル音声出力端子等とを備えるＡＶシステムにおいて、ユーザが音声信号の出力先を切り換える操作を行わなくとも、視聴するＡＶコンテンツに含まれる音声信号に応じた最適な音声出力デバイスへ音声信号を出力させることができるＡＶシステムを提供する。【解決手段】音声処理部本体１０７ｂに入力される音声信号がマルチチャンネルステレオ音声信号であるか否かを判定するマルチチャンネル判別部１０５ｂと、マルチチャンネルステレオ音声信号であると判定された場合には音声信号を光デジタル音声出力端子１１０から外部の音声アンプ３００へ出力させ、そうでないと判定された場合には、音声信号を内蔵スピーカ１０９から音声として出力させる消音指示部１０５ｃとを設ける。【選択図】図１
2011077843.tif 000002
【特許請求の範囲】
【請求項１】
映像信号および音声信号を映像および音声として再生するためのＡＶシステムであって、
２チャンネル以下の音声を出力するための内蔵の音声出力手段と、
マルチチャンネルステレオ音声を出力可能な外部の音声出力システムへ音声信号を出力する音声信号出力手段と、
再生しようとする音声信号がマルチチャンネルステレオ音声信号であるか否かを判定するマルチチャンネル判別手段と、
再生しようとする音声信号がマルチチャンネルステレオ音声信号であると判定された場合には、再生しようとする音声信号を音声信号出力手段から外部の音声出力システムへ出力させ、再生しようとする音声信号がマルチチャンネルステレオの音声信号でないと判定された場合には、再生しようとする音声信号を内蔵の音声出力手段から音声として出力させる音声出力制御手段とを備えることを特徴とするＡＶシステム。
【請求項２】
映像信号および音声信号が記録された記録媒体を再生して、映像信号および音声信号を含むＨＤＭＩ信号として出力するための内蔵の記録媒体再生手段をさらに備え、
上記マルチチャンネル判別手段は、再生しようとする音声信号が上記記録媒体再生手段から出力されたＨＤＭＩ信号に含まれる音声信号である場合、ＨＤＭＩ信号のＨＤＭＩ制御信号に含まれる音声情報に基づいて、再生しようとする音声信号がマルチチャンネルステレオ音声信号であるか否かを判定することを特徴とする請求項１に記載のＡＶシステム。
【請求項３】
映像信号および音声信号を含むＨＤＭＩ信号を外部から受信するＨＤＭＩレシーバをさらに備え、
上記マルチチャンネル判別手段は、再生しようとする音声信号が上記ＨＤＭＩレシーバで受信された外部からのＨＤＭＩ信号である場合、ＨＤＭＩ信号に含まれるＳＰＤＩＦ信号のＣｈａｎｎｅｌ  Ｓｔａｔｕｓに基づいて、再生しようとする音声信号がマルチチャンネルステレオ音声信号であるか否かを判定することを特徴とする請求項１または２に記載のＡＶシステム。
【請求項４】
デジタル放送信号を受信可能なチューナをさらに備え、
上記マルチチャンネル判別手段は、再生しようとする音声信号がチューナで受信されたデジタル放送信号である場合、デジタル放送信号のＰＩＤに含まれる音声情報に基づいて、再生しようとする音声信号がマルチチャンネルステレオ音声信号であるか否かを判定することを特徴とする請求項１〜３の何れか１項に記載のＡＶシステム。
【請求項５】
上記音声信号として、アナログ音声信号およびデジタル音声信号の両方が再生可能であり、
上記マルチチャンネル判別手段は、再生しようとする音声信号がアナログ音声信号であれば、再生しようとする音声信号がマルチチャンネルステレオ音声信号でないと判定することを特徴とする請求項１〜４の何れか１項に記載のＡＶシステム。
【請求項６】
ＨＤＭＩ信号を外部から受信可能なＨＤＭＩレシーバをさらに備え、
上記外部の音声出力システムは、ＨＤＭＩケーブルを介して上記ＨＤＭＩレシーバに接続された音声アンプを含んでいることを特徴とする請求項１〜５の何れか１項に記載のＡＶシステム。
【請求項７】
ＢＤドライブを内蔵したテレビシステムであることを特徴とする請求項１〜６の何れか１項に記載のＡＶシステム。
【発明の詳細な説明】
【技術分野】
【０００１】
本発明は、音声および映像を出力するＡＶ(Audio and Visual)システム（例えば、テレビ（テレビジョン受像機）、スピーカ内蔵ディスプレイなど）に関し、特に、２チャンネルステレオ音声を内蔵の音声出力手段（内蔵スピーカ等）から出力することができ、かつマルチチャンネルステレオ音声信号（２チャンネルを超えるチャンネル数で構成されるステレオ音声信号；サラウンド音声）を外部の音声出力システム（例えば、マルチチャンネルステレオ対応音声アンプとマルチチャンネルのスピーカとからなる音声出力システム）へ出力して外部の音声出力システムからマルチチャンネルステレオ音声を出力させることができるＡＶシステムに関する。
【背景技術】
【０００２】
ＤＶＤ(Digital Versatile Disc)／ＢＤ(Blu-ray Disc)ドライブ内蔵のテレビ等のようなＡＶシステムにおいては、再生するＡＶコンテンツが５．１チャンネルサラウンド音声などのマルチチャンネルステレオ音声信号を含んでいる場合がある。例えば、ＢＤには、ＤＴＳ（デジタル・シアター・システムズ）形式やドルビー（登録商標）デジタル形式等で符号化された５．１チャンネルサラウンドのデジタル音声信号が記録されているものがある。
【０００３】
しかしながら、現在のテレビ等のＡＶシステムは、基本的には、２チャンネルのスピーカしか内蔵していないので、それ自体では、２チャンネルステレオ放送の音声等のような２チャンネル以下の音声しか再生できず、マルチチャンネルステレオ音声を再生できない。そのため、ＡＶシステムは、それ自体でマルチチャンネルステレオ音声信号を音声として出力する場合には、マルチチャンネルステレオ音声信号を２チャンネルステレオ音声信号にダウンミックスして内蔵スピーカから２チャンネルステレオ音声として出力させる。したがって、ＡＶシステム自体では音声を聴くだけはできるが、マルチチャンネルステレオ音声のＡＶコンテンツを有効に利用できず、マルチチャンネルステレオ音声による臨場感の高い音響を得ることができない。そこで、ユーザが、上記ＡＶシステムを用いてマルチチャンネルステレオ音声信号をマルチチャンネルステレオ音声として聞こうとした場合には、ＡＶシステムの光デジタル音声出力端子を光ケーブル経由で外部のマルチチャンネルステレオ対応の音声アンプ（最近ではテレビラック一体型になっているものがある）に接続して、その音声アンプに接続したマルチチャンネルのスピーカからマルチチャンネルステレオ音声を出力させることになる。このとき、ユーザは、ＡＶシステムの内蔵スピーカを消音する操作、外部の音声アンプの電源をつける操作、外部の音声アンプを音量制御する操作、といった煩わしい操作が必要になる。また、逆に、ユーザが、マルチチャンネルステレオ音声を聞いている状態で、再生するＡＶコンテンツを２チャンネル以下の音声のＡＶコンテンツに切り換えて、テレビ等のＡＶシステムの内蔵スピーカから音声を聞こうとした場合、ユーザは、内蔵スピーカの消音を解除する、内蔵スピーカの音量を制御する、外部の音声アンプの電源を消す、といった煩わしい操作が必要になる。
【０００４】
また、近年では、テレビ等のＡＶシステムと音声アンプとをＨＤＭＩ(High-Definition Multimedia Interface)ケーブルで接続して、ＡＶシステム側からＣＥＣ(Consumer Electronics Control)制御により音声アンプの制御（電源オン／オフや音量制御等）を行うことができるようになっている。しかし、前述したような内蔵スピーカを備えるＡＶシステムの光デジタル音声出力端子を外部のマルチチャンネルステレオ対応の音声アンプに接続したシステムにおいては、このＣＥＣ制御により音声アンプを制御する方法を用いた場合であっても、結局、ＡＶシステム内蔵スピーカと外部の音声アンプに接続したマルチチャンネルのスピーカとの何れから音声を出力させるかは、自動制御されない。そのため、ユーザは、ＡＶシステムの表示画面のメニューを開き、ＡＶシステム内蔵スピーカと外部の音声アンプに接続したマルチチャンネルのスピーカとの何れから音声を出力させるかを上記メニュー上で手動で選択する必要がある。そのため、ユーザは、再生するＡＶコンテンツが２チャンネル音声のＡＶコンテンツである時にはＡＶシステム内蔵スピーカから音声を出力させ、再生するＡＶコンテンツがマルチチャンネルステレオ音声のＡＶコンテンツである時には音声アンプに接続したマルチチャンネルのスピーカから音声を出力させるように、音声出力を切り換える煩わしい操作を要求される。
【０００５】
また、ユーザは、再生するＡＶコンテンツの音声が２チャンネル以下の音声なのかマルチチャンネルステレオ音声なのかを認識していない場合が多い。例えば、現在のデジタルチャンネルの放送では、２チャンネルステレオ音声の番組とマルチチャンネルステレオ音声の番組とが同程度で混在しており、番組のジャンルによって２チャンネルステレオ音声であるかマルチチャンネルステレオ音声であるかが決まっているわけでもない（例えば、野球番組等のスポーツ番組では、マルチチャンネルステレオ音声である確率が比較的高いものの、全てがマルチチャンネルステレオ音声ではない）。そのため、ユーザは、特定のチャンネルや特定のジャンルの番組を選局したからといって、視聴中の番組が必ずマルチチャンネルステレオ音声であるということが分からない。また、視聴中の番組の音声が２チャンネル以下の音声であるかマルチチャンネルステレオ音声であるかは、ユーザが新聞のテレビ欄や電子番組表等を見れば分かるが、番組を見る度に２チャンネル以下の音声であるかマルチチャンネルステレオ音声であるかを確認しているユーザはあまりいない。以上のことから、ユーザは、再生するＡＶコンテンツの音声が２チャンネル以下の音声なのかマルチチャンネルステレオ音声なのかを認識していない場合が多く、したがって、ＡＶシステム内蔵スピーカを使うべきなのか外部の音声アンプを使うべきであるかが分からない場合が多い。したがって、ユーザが、最適な音声出力デバイスを選択できない可能性がある。
【０００６】
また、複数の音声出力デバイスを選択可能なＡＶシステムにおいて、どの音声出力デバイスから音声が出力されているのかをユーザに知らせる従来技術が知られている（特許文献１参照）。この従来技術では、テレビジョン受像機において、信号入力端子検出手段（ＣＰＵ(Central Processing Unit)、信号入力端子検出プログラム等）は、ＨＤＭＩ端子からの入力を選択した際に、音声信号が入力される音声入力端子を検出し、信号入出力端子表示制御手段（ＣＰＵ、信号入出力端子表示制御プログラム等）は、上記信号入力端子検出手段による検出に基づいて、音声信号が入力される音声入力端子に関する情報を、表示部にＯＳＤ(On-Screen Display)表示する。また、この従来技術では、接続機器検出手段による検出に基づいて、ＨＤＭＩ端子を介してテレビジョン受像機に接続される接続機器に関する情報を表示部にＯＳＤ表示し、設定手段による音声信号の出力の設定に基づいて、音声信号が出力される音声出力端子に関する情報を表示部にＯＳＤ表示する。
【先行技術文献】
【特許文献】
【０００７】
【特許文献１】特開２００７−３１２１８２号公報（２００７年１１月２９日公開）
【発明の概要】
【発明が解決しようとする課題】
【０００８】
上記従来技術は、テレビジョン受像機に音声情報を供給しているソース（接続機器）を検出してそのソースに関する情報と、テレビジョン受像機のどの音声出力端子（スピーカに接続された端子、光デジタル音声出力端子等）から音声信号が出力されているかの情報とをＯＳＤ表示してユーザに知らせている。
【０００９】
しかしながら、これらの情報がＯＳＤ表示されても、音声の知識に疎いユーザにとっては、何をどのように設定すべきかが分からない。また、この従来技術においても、ユーザが、再生するＡＶコンテンツの音声が２チャンネル以下の音声なのかマルチチャンネルステレオ音声なのかを認識していなければ、最適な音声出力デバイスを選択できない。また、この従来技術においても、音声出力を切り換える煩わしい操作がユーザに要求される。
【００１０】
本発明は、上記の課題に鑑みなされたものであり、その目的は、ユーザが音声信号の出力先を切り換える操作を行わなくとも、視聴するＡＶコンテンツ（映像信号および音声信号）に含まれる音声信号に応じた最適な音声出力デバイスへ音声信号を出力させることができるＡＶシステムを提供することにある。
【課題を解決するための手段】
【００１１】
本発明のＡＶシステムは、上記の課題を解決するために、映像信号および音声信号を映像および音声として再生するためのＡＶシステムであって、２チャンネル以下の音声を出力するための内蔵の音声出力手段と（例えば、内蔵スピーカ）、マルチチャンネルステレオ音声を出力可能な外部の音声出力システム（例えば、マルチチャンネルステレオ対応の音声アンプとマルチチャンネルスピーカとの組み合わせ）へ音声信号を出力する音声信号出力手段と、再生しようとする音声信号がマルチチャンネルステレオ音声信号であるか否かを判定するマルチチャンネル判別手段と、再生しようとする音声信号がマルチチャンネルステレオ音声信号であると判定された場合には、再生しようとする音声信号を音声信号出力手段から外部の音声出力システムへ出力させ、再生しようとする音声信号がマルチチャンネルステレオの音声信号でないと判定された場合には、再生しようとする音声信号を内蔵の音声出力手段から音声として出力させる音声出力制御手段とを備えることを特徴としている。
【００１２】
上記構成によれば、再生しようとする音声信号がマルチチャンネルステレオ音声信号であるか否かに応じて、音声信号の出力先を、マルチチャンネルステレオ音声を出力可能な外部の音声出力システムとするか、２チャンネル以下の音声を出力可能な内蔵の音声出力手段とするかを自動的に切り換えることができる。したがって、ユーザが音声信号の出力先を切り換える操作を行わなくとも、視聴するＡＶコンテンツ（映像信号および音声信号）に含まれる音声信号に応じた最適な音声出力デバイス（外部の音声出力システムまたは内蔵の音声出力手段）へ音声信号を出力させることができる。すなわち、ユーザは、視聴するＡＶコンテンツがマルチチャンネルステレオの音声信号を含むかを意識しなくとも、常に最適な音響効果で音声を楽しむことができる。
【００１３】
再生しようとする音声信号がデジタル音声信号である場合、上記マルチチャンネル判別手段は、再生しようとするデジタル音声信号に含まれる音声情報（音声のフォーマットの情報、デジタル音声信号が圧縮か非圧縮かの情報など）を取得して、該音声情報に基づいて、再生しようとする音声信号がマルチチャンネルステレオ音声信号であるか否かを判定すればよい。
【００１４】
上記ＡＶシステムは、映像信号および音声信号が記録された記録媒体を再生して、映像信号および音声信号を含むＨＤＭＩ信号として出力するための内蔵の記録媒体再生手段をさらに備え、上記マルチチャンネル判別手段は、再生しようとする音声信号が上記記録媒体再生手段から出力されたＨＤＭＩ信号に含まれる音声信号である場合、ＨＤＭＩ信号のＨＤＭＩ制御信号に含まれる音声情報に基づいて、再生しようとする音声信号がマルチチャンネルステレオ音声信号であるか否かを判定する構成であってもよい。
【００１５】
上記ＡＶシステムは、映像信号および音声信号を含むＨＤＭＩ信号を外部から受信するＨＤＭＩレシーバをさらに備え、上記マルチチャンネル判別手段は、再生しようとする音声信号が上記ＨＤＭＩレシーバで受信された外部からのＨＤＭＩ信号である場合、ＨＤＭＩ信号に含まれるＳＰＤＩＦ信号のＣｈａｎｎｅｌ  Ｓｔａｔｕｓに基づいて、再生しようとする音声信号がマルチチャンネルステレオ音声信号であるか否かを判定する構成であってもよい。
【００１６】
上記ＡＶシステムは、デジタル放送信号を受信可能なチューナをさらに備え、上記マルチチャンネル判別手段は、再生しようとする音声信号がチューナで受信されたデジタル放送信号である場合、デジタル放送信号のＰＩＤに含まれる音声情報に基づいて、再生しようとする音声信号がマルチチャンネルステレオ音声信号であるか否かを判定する構成であってもよい。
【００１７】
上記ＡＶシステムは、上記音声信号として、アナログ音声信号およびデジタル音声信号の両方が再生可能であり、上記マルチチャンネル判別手段は、再生しようとする音声信号がアナログ音声信号であれば、再生しようとする音声信号がマルチチャンネルステレオ音声信号でないと判定する構成であってもよい。
【００１８】
上記各構成によれば、再生しようとする音声信号がマルチチャンネルステレオ音声信号であるか否かを簡便にかつ確実に判定することができるので、視聴するＡＶコンテンツに含まれる音声信号に応じた最適な音声出力デバイスへの音声信号の出力をより確実に実現でき、また、ＡＶシステムの構成を簡素化できる。
【発明の効果】
【００１９】
以上のように、本発明によれば、ユーザが音声信号の出力先を切り換える操作を行わなくとも、視聴するＡＶコンテンツに含まれる音声信号に応じた最適な音声出力デバイスへ音声信号を出力させることができるＡＶシステムを提供することができる。
【図面の簡単な説明】
【００２０】
【図１】本発明の実施の一形態に係るＡＶシステムとしてのテレビシステムを含むマルチチャンネルステレオ対応ＡＶシステムの要部構成を示すブロック図である。
【図２】図１のテレビシステムにおける音声出力先を切り換える処理の流れを示すフローチャートである。
【図３】本発明の他の実施の形態に係るＡＶシステムとしてのテレビシステムを含むマルチチャンネルステレオ対応ＡＶシステムの要部構成を示すブロック図である。
【発明を実施するための形態】
【００２１】
〔実施の形態１〕
本実施の一形態に係るＡＶシステムとしてのテレビシステムを含むマルチチャンネルステレオ対応ＡＶシステムの要部構成について図１を参照して説明する。図１は、本発明の実施の形態に係るＡＶシステムとしてのテレビシステムを含むマルチチャンネルステレオ対応ＡＶシステムの要部構成を示すブロック図である。
【００２２】
本実施の形態に係るマルチチャンネルステレオ対応ＡＶシステムは、映像信号および音声信号を映像および音声として再生するためのものであって、図１に示すように、テレビシステム１００と、テレビシステム１００外部に設けられた、外部ＨＤＭＩ機器（ＨＤＭＩ規格に準拠したデジタル信号出力機器）２００、音声アンプ３００、およびマルチチャンネルのスピーカ３０１とを備えている。
【００２３】
外部ＨＤＭＩ機器２００は、デジタル音声信号およびデジタル映像信号を含むＨＤＭＩ信号（ＨＤＭＩ規格に準拠したデジタル信号）を、図示しないＨＤＭＩケーブル経由で音声アンプ３００に出力するものであり、例えば、外付けのＢＤ／ＤＶＤドライブ、ＨＤＤ(Hard Disk Drive)レコーダ、ゲーム機、パーソナルコンピュータ等である。
【００２４】
音声アンプ３００は、外部ＨＤＭＩ機器２００から入力されたＨＤＭＩ信号を、図示しないＨＤＭＩケーブル（ＨＤＭＩ規格に準拠したデジタル信号伝送用ケーブル）経由でテレビシステム１００に送るものである。また、音声アンプ３００は、テレビシステム１００から光ケーブル経由で入力された光デジタル音声信号をマルチチャンネルのスピーカ３０１から出力できる形式のアナログ音声信号に変換し、マルチチャンネルのスピーカ３０１に出力するものである。マルチチャンネルのスピーカ３０１は、音声アンプ３００から入力された音声信号に応じてマルチチャンネルステレオ音声（サラウンド音声）を出力するスピーカである。マルチチャンネルのスピーカ３０１は、例えば、５．１チャンネルサラウンド音声を出力するための、左フロントスピーカ、右フロントスピーカ、センタースピーカ、左リアスピーカ、右リアスピーカ、およびサブウーファからなる。マルチチャンネルのスピーカ３０１は、他のチャンネル数、例えば、２．１チャンネル、３．１チャンネル、６．１チャンネル、７．１チャンネル等のスピーカであってもよい。音声アンプ３００およびマルチチャンネルのスピーカ３０１によって、マルチチャンネルステレオ音声を出力可能な外部の音声出力システムが構成されている。
【００２５】
テレビシステム１００は、チューナ１０１、外部入力部１０２、ＨＤＭＩレシーバ１０３、内蔵ＢＤ／ＤＶＤドライブ（内蔵の記録媒体再生手段、ＢＤドライブ）１０４、マイコン（マイクロコンピュータ）１０５、映像処理部１０６、音声処理部１０７、表示デバイス１０８、内蔵スピーカ（内蔵の音声出力手段）１０９、光デジタル音声出力端子（音声信号出力手段）１１０、リモコン受光部１１１、およびリモートコントローラ１１２を備えている。
【００２６】
チューナ１０１は、アナログチューナ部１０１ａおよびデジタルチューナ部１０１ｂを備えている。アナログチューナ部１０１ａは、図示しないアナログ放送用アンテナを介して受信するアナログ放送信号（地上波アナログテレビジョン放送、ＢＳ（放送衛星）アナログテレビジョン放送等の信号）を選局し、選局されたアナログチャンネルの放送信号からアナログ音声信号およびアナログ映像信号を抽出し、抽出したアナログ音声信号を音声処理部１０７に、抽出したアナログ映像信号を映像処理部１０６に送信する。デジタルチューナ部１０１ｂは、図示しないデジタル放送用アンテナを介して受信する、多重化されたデジタル放送信号（地上波デジタルテレビジョン放送、ＢＳデジタルテレビジョン放送、ＣＳ（通信衛星）デジタルテレビジョン放送等のような、符号化音声信号および符号化映像信号を含む放送信号）を選局し、選局したデジタルチャンネルの放送信号を符号化音声信号および符号化映像信号のそれぞれに分離し、符号化音声信号をデコードしてデジタル音声信号として音声処理部１０７に出力し、符号化映像信号をデコードしてデジタル映像信号として映像処理部１０６に出力する。なお、アナログチューナ部１０１ａおよびデジタルチューナ部１０１ｂは、最近では、通常は一体化されるが、分離されていてもよい。
【００２７】
外部入力部１０２は、アナログビデオデッキ等のアナログ外部機器４００からアナログ音声信号およびアナログ映像信号を受け取って、アナログ音声信号を音声処理部１０７に出力し、アナログ映像信号を映像処理部１０６に出力するものである。外部入力部１０２は、例えば、ステレオ音声信号用のＲＣＡ（登録商標）端子である。なお、外部入力部１０２およびアナログ外部機器４００の組は、複数組、設けてもよい。
【００２８】
ＨＤＭＩレシーバ１０３は、ＨＤＭＩセレクタ部１０３ａおよびＨＤＭＩレシーバ本体１０３ｂを備えている。ＨＤＭＩセレクタ部１０３ａは、外部ＨＤＭＩ機器２００から音声アンプ３００経由で入力されたＨＤＭＩ信号、および内蔵ＢＤ／ＤＶＤドライブ１０４から入力されたＨＤＭＩ信号のうち、いずれか１つのＨＤＭＩ信号を選択してＨＤＭＩレシーバ本体１０３ｂに出力し、出力するＨＤＭＩ信号を切り換えるものである。この切り換えは、マイコン１０５からの制御指示に応じて行われる。ＨＤＭＩレシーバ本体１０３ｂは、ＨＤＭＩセレクタ部１０３ａから入力されたＨＤＭＩ信号をデジタル映像信号およびデジタル音声信号のそれぞれに分離し、デジタル音声信号を音声処理部１０７に出力し、デジタル映像信号を映像処理部１０６に出力するものである。さらに、ＨＤＭＩレシーバ本体１０３ｂは、入力されたＨＤＭＩ信号に含まれるＨＤＭＩ制御信号（ＣＥＣコマンドおよびＶｅｎｄｏｒ  Ｐａｃｋｅｔを含む）および音声情報（Ｃｈａｎｎｅｌ  Ｓｔａｔｕｓを含む）を取得してマイコン１０５へ送る機能も備えている。
【００２９】
内蔵ＢＤ／ＤＶＤドライブ１０４は、ＢＤ、ＤＶＤ、およびＣＤ(Compact Disc)を再生可能なものであり、ＢＤ、ＤＶＤ、またはＣＤに記録されたデジタル映像信号およびデジタル音声信号を読み出してＨＤＭＩ信号に変換し、ＨＤＭＩ信号をＨＤＭＩレシーバ１０３に出力する。内蔵ＢＤ／ＤＶＤドライブ１０４は、典型的には、デジタル映像信号およびデジタル音声信号を記録可能なＢＤ（ＢＤ−ＲやＢＤ−ＲＥなど）または記録可能なＤＶＤ（ＤＶＤ−ＲやＤＶＤ−ＲＷなど）に記録する録画機能を備えている。また、内蔵ＢＤ／ＤＶＤドライブ１０４は、デジタル映像信号およびデジタル音声信号を記憶するためのＨＤＤ(Hard Disk Drive)やフラッシュメモリ等の記憶装置を備えていてもよい。なお、内蔵ＢＤ／ＤＶＤドライブ１０４に代えて、内蔵ＢＤドライブまたは内蔵ＤＶＤドライブ等のような他の記録媒体再生手段を設けてもよい。
【００３０】
マイコン１０５は、テレビ放送受信機１が備える各部、例えば、チューナ１０１、外部入力部１０２、ＨＤＭＩレシーバ１０３、映像処理部１０６、音声処理部１０７、表示デバイス１０８などを制御するためのものである。マイコン１０５は、ＣＰＵ(Central Processing Unit)およびＲＡＭ(Random Access Memory)を備え、ＣＰＵが、ＲＡＭに記録されたプログラムを読み出し、実行することで、各種機能を実現することができる。マイコン１０５内の機能ブロックについては、後段で説明する。
【００３１】
映像処理部１０６は、ビデオセレクタ部１０６ａおよび映像処理部本体１０６ｂを備えている。ビデオセレクタ部１０６ａは、チューナ１０１のアナログチューナ部１０１ａから入力されたアナログ映像信号、チューナ１０１のデジタルチューナ部１０１ｂから入力されたデジタル映像信号、アナログ外部機器４００から外部入力部１０２経由で入力されたアナログ映像信号、およびＨＤＭＩレシーバ１０３から入力されたデジタル映像信号（内蔵ＢＤ／ＤＶＤドライブ１０４から入力されたデジタル映像信号、または外部ＨＤＭＩ機器２００から入力されたデジタル映像信号）のうち、いずれか１つの映像信号を選択して映像処理部本体１０６ｂに出力し、出力する映像信号を切り換えるものである。この切り換えは、マイコン１０５からの制御指示に応じて行われる。映像処理部本体１０６ｂは、ビデオセレクタ部１０６ａから入力された映像信号を、表示デバイス１０８にて適切な形で表示できる映像信号へと変換して表示デバイス１０８に出力するものである。
【００３２】
音声処理部１０７は、オーディオセレクタ部１０７ａおよび音声処理部本体１０７ｂを備えている。オーディオセレクタ部１０７ａは、チューナ１０１のアナログチューナ部１０１ａから入力されたアナログ音声信号、チューナ１０１のデジタルチューナ部１０１ｂから入力されたデジタル音声信号、アナログ外部機器４００から外部入力部１０２経由で入力されたアナログ音声信号、およびＨＤＭＩレシーバ１０３から入力されたデジタル音声信号（内蔵ＢＤ／ＤＶＤドライブ１０４から入力されたデジタル音声信号、または外部ＨＤＭＩ機器２００から入力されたデジタル音声信号）のうち、いずれか１つの音声信号を選択して音声処理部本体１０７ｂに出力し、出力する音声信号を切り換える（音声信号出力経路を設定する）ものである。この切り換えは、マイコン１０５からの制御指示に応じて行われる。
【００３３】
音声処理部本体１０７ｂは、オーディオセレクタ部１０７ａから入力された音声信号を内蔵スピーカ１０９から出力できる形式の音声信号に変換し、内蔵スピーカ１０９に出力するものである。また、音声処理部本体１０７ｂは、オーディオセレクタ部１０７ａから入力されたデジタル音声信号（電気信号）を光信号（光デジタル音声信号）に変換し、光デジタル音声出力端子１１０および図示しない光ケーブルを介して音声アンプ３００に出力するものである。音声処理部本体１０７ｂは、マイコン１０５からの消音指示に応じて、内蔵スピーカ１０９に出力する音声信号、および音声アンプ３００に出力するデジタル音声信号の何れか一方を消音（ミュート）信号とすることによって、内蔵スピーカ１０９および外部のスピーカ３０１の一方を消音する消音機能も備えている。さらに、音声処理部本体１０７ｂは、入力されたデジタル音声信号に含まれるコンテンツ情報（ＰＩＤを含む）を取得してマイコン１０５へ送る機能も備えている。音声処理部本体１０７ｂは、典型的には、音量制御機能やイコライザ機能なども含んでいる。
【００３４】
なお、マイコン１０５、映像処理部１０６、および音声処理部１０７は、１つのＩＣ（集積回路）チップによって構成してもよく、それぞれ個別のＩＣチップによって構成してもよく、２つのＩＣチップ（例えばマイコン１０５および音声処理部１０７を実現するＩＣチップと、映像処理部１０６を実現するＩＣチップ）によって構成してもよい。マイコン１０５と音声処理部１０７とが１つのＩＣチップによって構成されている場合、デジタル音声信号がマイコン１０５に送られることになるので、音声処理部本体１０７ｂがデジタル音声信号に含まれる音声情報を取得してマイコン１０５へ送る必要はない。
【００３５】
表示デバイス１０８は、例えば液晶表示デバイスであり、映像処理部１０６から入力された映像信号に応じて映像を表示するものである。表示デバイス１０８は、例えば、液晶ディスプレイ、プラズマディスプレイなどである。
【００３６】
内蔵スピーカ１０９は、音声処理部１０７から入力された音声信号に応じて２チャンネル以下の音声を出力するスピーカであり、例えば、２チャンネルステレオ音声を出力するための左チャンネル用スピーカおよび右チャンネル用スピーカからなる。
【００３７】
光デジタル音声出力端子１１０は、音声処理部本体１０７ｂから入力された光デジタル音声信号を音声アンプ３００へ出力するものである。なお、光デジタル音声出力端子１１０に代えて、あるいは光デジタル音声出力端子１１０に加えて、同軸デジタル音声出力端子を設け、音声処理部本体１０７ｂから同軸デジタル音声出力端子および同軸ケーブルを介して音声アンプ３００へデジタル音声信号を出力するようにしてもよい。
【００３８】
リモコン受光部１１１は、リモートコントローラ１１２から出力された光信号を受信し、該リモートコントローラ１１２からの制御指示、例えばユーザによる視聴ソースの切り換え指示を受付けるためのものである。受付けた制御指示は、マイコン１０５に送信する。
【００３９】
マイコン１０５は、図１に示すように、視聴ソース切換指示部１０５ａ、マルチチャンネル判別部（マルチチャンネル判別手段）１０５ｂ、および消音指示部（音声出力制御手段）１０５ｃを備えている。マイコン１０５の各部は、上記各部としてコンピュータ（ＣＰＵおよびＲＡＭ）を機能させるための、コンピュータ読み取り可能な記録媒体（ハードディスクやフラッシュメモリ等）に記録されたプログラムと、コンピュータ（ＣＰＵおよびＲＡＭ）とによって実現される機能ブロックである。
【００４０】
視聴ソース切換指示部１０５ａは、チューナ１０１のアナログチューナ部１０１ａ、チューナ１０１のデジタルチューナ部１０１ｂ、アナログ外部機器４００、内蔵ＢＤ／ＤＶＤドライブ１０４、および外部ＨＤＭＩ機器２００の何れか１つから他の１つへと視聴ソース（映像処理部本体１０６ｂおよび音声処理部本体１０７ｂへ映像信号および音声信号を供給するもの）を切り換える視聴ソース切り換え指示（ユーザ指示）をユーザからリモートコントローラ１１２およびリモコン受光部１１１を経由して受け取る。また、視聴ソース切換指示部１０５ａは、チューナ１０１のアナログチューナ部１０１ａ、チューナ１０１のデジタルチューナ部１０１ｂ、アナログ外部機器４００、および外部ＨＤＭＩ機器２００の何れか１つから内蔵ＢＤ／ＤＶＤドライブ１０４へと視聴ソースを切り換える視聴ソース切り換え指示（自動制御信号）を内蔵ＢＤ／ＤＶＤドライブ１０４から受け取る。視聴ソース切換指示部１０５ａは、これらの視聴ソース切り換え指示に応じて、チューナ１０１のアナログチューナ部１０１ａ、チューナ１０１のデジタルチューナ部１０１ｂ、アナログ外部機器４００、内蔵ＢＤ／ＤＶＤドライブ１０４、および外部ＨＤＭＩ機器２００の何れか１つから他の１つへと視聴ソースが切り替わるように、ＨＤＭＩセレクタ部１０３ａ、ビデオセレクタ部１０６ａ、およびオーディオセレクタ部１０７ａへ制御指示を送る。また、視聴ソース切換指示部１０５ａは、ＨＤＭＩセレクタ部１０３ａにて選択されている視聴ソース（内蔵ＢＤ／ＤＶＤドライブ１０４または外部ＨＤＭＩ機器２００）を示すＨＤＭＩセレクタ情報、およびビデオセレクタ部１０６ａオーディオセレクタ部１０７ａにて選択されている視聴ソース（チューナ１０１のアナログチューナ部１０１ａ、チューナ１０１のデジタルチューナ部１０１ｂ、アナログ外部機器４００、またはＨＤＭＩ機器（内蔵ＢＤ／ＤＶＤドライブ１０４または外部ＨＤＭＩ機器２００））を示す視聴ソース情報をマルチチャンネル判別部１０５ｂへ送る。
【００４１】
マルチチャンネル判別部１０５ｂは、視聴ソース切換指示部１０５ａから送られたＨＤＭＩセレクタ情報および視聴ソース情報と、ＨＤＭＩレシーバ本体１０３ｂから送られたＨＤＭＩ制御信号および音声情報と、音声処理部本体１０７ｂから送られたコンテンツ情報とに基づいて、再生しようとする音声信号がマルチチャンネルステレオ音声信号であるか否かを判定する。具体的な判定方法については、後段で詳しく説明する。
【００４２】
消音指示部１０５ｃは、再生しようとする音声信号がマルチチャンネルステレオ音声信号であるとマルチチャンネル判別部１０５ｂによって判定された場合には、内蔵スピーカ１０９に出力する音声信号を消音信号とする指示を音声処理部本体１０７ｂに送ることによって、内蔵スピーカ１０９を消音させるものである。これによって、再生しようとする音声信号は、音声アンプ３００へ選択的に出力され、マルチチャンネルのスピーカ３０１にてマルチチャンネルステレオ音声として出力される。一方、消音指示部１０５ｃは、再生しようとする音声信号がマルチチャンネルステレオ音声信号でないとマルチチャンネル判別部１０５ｂによって判定された場合には、音声アンプ３００に出力する音声信号を消音信号とする指示を音声処理部本体１０７ｂに送ることによって、マルチチャンネルのスピーカ３０１を消音させるものである。これによって、再生しようとする音声信号は、内蔵スピーカ１０９へ選択的に出力され、内蔵スピーカ１０９にて２チャンネル以下の音声として出力される。
【００４３】
次に、図１に示すテレビシステム１００の動作について、図２に示すフローチャートに基づいて詳細に説明する。
【００４４】
まず、マルチチャンネル判別部１０５ｂが、視聴ソース切換指示部１０５ａから送られた視聴ソース情報に基づいて、視聴ソースが、チューナ１０１のアナログチューナ部１０１ａ、チューナ１０１のデジタルチューナ部１０１ｂ、アナログ外部機器４００、およびＨＤＭＩ機器（内蔵ＢＤ／ＤＶＤドライブ１０４または外部ＨＤＭＩ機器２００）の何れであるかを判定する（Ｓ１）。
【００４５】
Ｓ１で視聴ソースがＨＤＭＩ機器であると判定された場合、マルチチャンネル判別部１０５ｂが、視聴ソース切換指示部１０５ａから送られたＨＤＭＩセレクタ情報に基づいて、視聴ソースが内蔵ＢＤ／ＤＶＤドライブ１０４であるか、すなわち、内蔵ＢＤ／ＤＶＤドライブ１０４にて再生されたデジタル音声信号が内蔵ＢＤ／ＤＶＤドライブ１０４からＨＤＭＩ信号の一部としてＨＤＭＩレシーバ本体１０３ｂに入力されているかを判定する（Ｓ２）。
【００４６】
Ｓ２で視聴ソースが内蔵ＢＤ／ＤＶＤドライブ１０４である（ＹＥＳ）と判定された場合、マイコン１０５のマルチチャンネル判別部１０５ｂが、ＨＤＭＩレシーバ本体１０３ｂから送られたＨＤＭＩ制御信号の中からＣＥＣコマンドまたはＶｅｎｄｏｒ  Ｐａｃｋｅｔを音声情報として抽出する。すなわち、マルチチャンネル判別部１０５ｂが、ＨＤＭＩ制御信号からＣＥＣコマンドまたはＶｅｎｄｏｒ  Ｐａｃｋｅｔを音声情報として取得する（Ｓ３）。なお、ＣＥＣコマンドは、通信できる内容がＨＤＭＩの規格によって大部分が決められており、バイト数に制限があり、通信レートが遅いが、双方向通信できるものである。一方、Ｖｅｎｄｏｒ  Ｐａｃｋｅｔは、ベンダー毎に自由に決められる拡張部分であり、通信レートが速いが、片方向通信しかできないものである。
【００４７】
そして、マルチチャンネル判別部１０５ｂが、取得した音声情報、すなわちＣＥＣコマンドまたはＶｅｎｄｏｒ  Ｐａｃｋｅｔを元に、音声処理部本体１０７ｂへ入力される音声信号（再生しようとする音声信号）がマルチチャンネルステレオ音声信号であるかを判断する（Ｓ６）。すなわち、ＣＥＣコマンドおよびＶｅｎｄｏｒ  Ｐａｃｋｅｔは、音声処理部本体１０７ｂへ入力される音声信号が圧縮デジタル音声信号であるか非圧縮デジタル音声信号であるかを示す圧縮／非圧縮情報を含んでいる。そして、ＨＤＭＩでは、マルチチャンネルステレオ音声信号は圧縮デジタル音声信号として伝送される一方、２チャンネル以下の音声信号は非圧縮デジタル音声信号として伝送される。そこで、マルチチャンネル判別部１０５ｂは、圧縮／非圧縮情報に基づき、音声処理部本体１０７ｂへ入力される音声信号が圧縮デジタル音声信号であることを上記圧縮／非圧縮情報が示していれば、音声処理部本体１０７ｂへ入力される音声信号がマルチチャンネルステレオ音声信号であると判断し、音声処理部本体１０７ｂへ入力される音声信号が非圧縮デジタル音声信号であることを上記圧縮／非圧縮情報が示していれば、音声処理部本体１０７ｂへ入力される音声信号がマルチチャンネルステレオ音声信号でないと判断する。
【００４８】
次いで、消音指示部１０５ｃが、Ｓ６におけるマルチチャンネル判別部１０５ｂの判別結果に応じて、音声処理部本体１０７ｂを制御することによって、音声信号の出力先を内蔵スピーカ１０９にするか音声アンプ３００にするかを選択する。すなわち、消音指示部１０５ｃは、音声処理部本体１０７ｂへ入力される音声信号がマルチチャンネルステレオ音声信号である（ＹＥＳ）とＳ６で判定された場合（例えばＢＤ再生時）、内蔵スピーカ１０９への出力信号を消音信号とする消音指示を音声処理部本体１０７ｂに送ることによって内蔵スピーカ１０９を消音させ、デジタル音声信号（典型的にはＳＰＤＩＦ(Sony(登録商標) Philips(登録商標) Digital InterFace)信号）を光デジタル音声出力端子１１０から出力させて外部の音声アンプ３００およびスピーカ３０１から音声を出力させる（Ｓ７）。一方、消音指示部１０５ｃは、音声処理部本体１０７ｂへ入力される音声信号がマルチチャンネルステレオ音声信号でない（ＮＯ）とＳ６で判定された場合、例えば音声処理部本体１０７ｂへ入力される音声信号が２チャンネルステレオ音声信号である場合（例えばＣＤ再生時）には、光デジタル音声出力端子１１０への出力信号を消音信号とする消音指示を音声処理部本体１０７ｂに送ることによって外部の音声アンプ３００およびスピーカ３０１を消音させ、アナログ音声信号を内蔵スピーカ１０９へ送って内蔵スピーカ１０９から音声を出力させる（Ｓ８）。
【００４９】
ＨＤＭＩ制御信号のＣＥＣコマンドまたはＶｅｎｄｏｒ  Ｐａｃｋｅｔに音声情報が含まれるか、また音声情報が含まれる場合に音声情報がどのような形式であるかは、ＨＤＭＩ制御信号を出力する機器のメーカに依存する。そのため、前述したＳ３におけるＨＤＭＩ制御信号のＣＥＣコマンドまたはＶｅｎｄｏｒ  Ｐａｃｋｅｔから音声情報を取得する方法は、視聴ソースが内蔵ＢＤ／ＤＶＤドライブ１０４である場合などのような、視聴ソースがテレビシステム１００と同一メーカの製品であることが確実である場合に限られる。視聴ソースが外部ＨＤＭＩ機器２００である場合などのような、視聴ソースがテレビシステム１００と異なるメーカの製品である可能性がある場合であると、必ずしもＨＤＭＩ制御信号から音声情報を取得できるとは限らない。
【００５０】
そこで、Ｓ２で視聴ソースが内蔵ＢＤ／ＤＶＤドライブ１０４でない（ＮＯ）と判定された場合（本実施形態では視聴ソースが外部ＨＤＭＩ機器２００である場合）、Ｓ３とは別の方法を用いて音声情報を取得する。すなわち、ＨＤＭＩ信号には、音声信号がＳＰＤＩＦ信号として含まれており、ＳＰＤＩＦ信号には、音声信号が非圧縮デジタル音声信号（リニアＰＣＭ(Pulse-Code Modulation)信号）であるか圧縮デジタル音声信号（ドルビー（登録商標）デジタル形式の圧縮デジタル音声信号など）であるかを示すＣｈａｎｎｅｌ  Ｓｔａｔｕｓ（ＳＰＤＩＦ  Ｃｈａｎｎｅｌ  Ｓｔａｔｕｓ）が含まれている。そこで、Ｓ２で視聴ソースが内蔵ＢＤ／ＤＶＤドライブ１０４でない（ＮＯ）と判定された場合、マイコン１０５のマルチチャンネル判別部１０５ｂが、ＨＤＭＩレシーバ本体１０３ｂから送られた音声情報の中からＣｈａｎｎｅｌ  Ｓｔａｔｕｓを抽出する。すなわち、マルチチャンネル判別部１０５ｂが、ＨＤＭＩ信号に含まれるＳＰＤＩＦ信号のＶｅｎｄｏｒ  Ｐａｃｋｅｔから音声情報を取得する（Ｓ４）。
【００５１】
そして、マルチチャンネル判別部１０５ｂが、ＳＰＤＩＦ信号のＣｈａｎｎｅｌ  Ｓｔａｔｕｓに基づいて、音声処理部本体１０７ｂへ入力される音声信号（再生しようとする音声信号）がマルチチャンネルステレオ音声信号であるかを判断する（Ｓ６）。前述したように、ＨＤＭＩでは、マルチチャンネルステレオ音声信号は圧縮デジタル音声信号として伝送される一方、２チャンネル以下の音声信号は非圧縮デジタル音声信号として伝送される。そこで、マルチチャンネル判別部１０５ｂは、ＳＰＤＩＦ信号のＣｈａｎｎｅｌ  Ｓｔａｔｕｓに基づき、音声処理部本体１０７ｂへ入力される音声信号が圧縮デジタル音声信号であることをＣｈａｎｎｅｌ  Ｓｔａｔｕｓが示していれば、音声処理部本体１０７ｂへ入力される音声信号がマルチチャンネルステレオ音声信号であると判断し、音声処理部本体１０７ｂへ入力される音声信号が非圧縮デジタル音声信号（リニアＰＣＭ信号）であることをＣｈａｎｎｅｌ  Ｓｔａｔｕｓが示していれば、音声処理部本体１０７ｂへ入力される音声信号がマルチチャンネルステレオ音声信号でないと判断する。
【００５２】
次いで、消音指示部１０５ｃは、音声処理部本体１０７ｂへ入力される音声信号がマルチチャンネルステレオ音声信号である（ＹＥＳ）とＳ６で判定された場合（音声処理部本体１０７ｂへ入力される音声信号が圧縮デジタル音声信号であると判定された場合）、内蔵スピーカ１０９への出力信号を消音信号とする消音指示を音声処理部本体１０７ｂに送ることによって内蔵スピーカ１０９を消音させ、デジタル音声信号を光デジタル音声出力端子１１０から出力させて外部の音声アンプ３００およびスピーカ３０１から音声を出力させる（Ｓ７）。一方、消音指示部１０５ｃは、再生しようとする音声信号がマルチチャンネルステレオ音声信号でない（ＮＯ）とＳ６で判定された場合（音声処理部本体１０７ｂへ入力される音声信号がリニアＰＣＭ信号であると判定された場合）には、光デジタル音声出力端子１１０への出力信号を消音信号とする消音指示を音声処理部本体１０７ｂに送ることによって外部の音声アンプ３００およびスピーカ３０１を消音させ、アナログ音声信号を内蔵スピーカ１０９へ送って内蔵スピーカ１０９から音声を出力させる（Ｓ８）。
【００５３】
また、Ｓ１で視聴ソースがチューナ１０１のデジタルチューナ部１０１ｂであると判定された場合、マルチチャンネル判別部１０５ｂが、視聴中チャンネルのＰＩＤから音声情報を取得する（Ｓ５）。すなわち、マルチチャンネル判別部１０５ｂが、音声処理部本体１０７ｂから送られたコンテンツ情報からＰＩＤを抽出する。ＰＩＤには、デジタル音声信号が２チャンネルステレオ音声なのかマルチチャンネルステレオ音声なのか等を示す音声情報（音声コンポーネント記述子のｃｏｍｐｏｎｅｎｔ＿ｔｙｐｅフィールド）が含まれている。そこで、マルチチャンネル判別部１０５ｂは、上記音声情報に基づいて、音声処理部本体１０７ｂへ入力される音声信号（再生しようとする音声信号）がマルチチャンネルステレオ音声信号であるかを判断する（Ｓ６）。
【００５４】
次いで、消音指示部１０５ｃは、音声処理部本体１０７ｂへ入力される音声信号がマルチチャンネルステレオ音声信号である（ＹＥＳ）とＳ６で判定された場合（例えば、音声処理部本体１０７ｂへ入力されるデジタル放送の音声信号が、５．１チャンネルサラウンド音声信号であると判定された場合）、内蔵スピーカ１０９への出力信号を消音信号とする消音指示を音声処理部本体１０７ｂに送ることによって内蔵スピーカ１０９を消音させ、デジタル音声信号を光デジタル音声出力端子１１０から出力させて外部の音声アンプ３００およびスピーカ３０１から音声を出力させる（Ｓ７）。一方、消音指示部１０５ｃは、再生しようとする音声信号がマルチチャンネルステレオ音声信号でない（ＮＯ）とＳ６で判定された場合（例えば、音声処理部本体１０７ｂへ入力されるデジタル放送の音声信号が、２チャンネルステレオ音声信号であると判定された場合）には、光デジタル音声出力端子１１０への出力信号を消音信号とする消音指示を音声処理部本体１０７ｂに送ることによって外部の音声アンプ３００およびスピーカ３０１を消音させ、アナログ音声信号を内蔵スピーカ１０９へ送って内蔵スピーカ１０９から音声を出力させる（Ｓ８）。
【００５５】
Ｓ１で視聴ソースが、その他、すなわちチューナ１０１のアナログチューナ部１０１ａまたはアナログ外部機器４００である場合には、音声処理部本体１０７ｂへ入力される音声信号（再生しようとする音声信号）は、アナログ音声信号であり、必ず、２チャンネル以下のアナログ音声信号、通常は２チャンネルステレオのアナログ信号（場合によってはデュアルモノ信号のこともある）であるので、マルチチャンネルステレオ音声信号であることはありえない。そのため、この場合には、マルチチャンネル判別部１０５ｂが、音声情報を参照することなく、無条件に音声処理部本体１０７ｂへ入力される音声信号がマルチチャンネルステレオ音声信号でないと判定し、消音指示部１０５ｃが、光デジタル音声出力端子１１０への出力信号を消音信号とする消音指示を音声処理部本体１０７ｂに送ることによって外部の音声アンプ３００およびスピーカ３０１を消音させ、アナログ音声信号を内蔵スピーカ１０９へ送って内蔵スピーカ１０９から音声を出力させる（Ｓ８）。
【００５６】
以上のように、本実施形態の構成によれば、再生しようとする音声信号がマルチチャンネルステレオ音声信号であるか否かに応じて、音声信号の出力先を、マルチチャンネルステレオ音声を出力可能な外部の音声アンプ３００およびマルチチャンネルのスピーカ３０１とするか、内蔵スピーカ１０９とするかを自動的に切り換えることができる。したがって、ユーザが音声信号の出力先を切り換える操作を行わなくとも、視聴するＡＶコンテンツ（映像信号および音声信号）に含まれる音声信号に応じた最適な音声出力デバイス（音声アンプ３００とマルチチャンネルのスピーカ３０１との組み合わせ、または内蔵スピーカ１０９）へ音声信号を出力させることができる。
【００５７】
なお、図２のフローチャートに示す処理は、常時行ってもよいが、視聴ソースの選択、および視聴番組の選択（チャンネル選択、または時間経過による視聴中の番組の切り替わり）をトリガーとして実行するとよい。後者の場合、例えば、図２のＳ２が、図１のＨＤＭＩセレクタ部１０３ａにおける切り換えをトリガーとして実行される。すなわち、後者の場合、図２のＳ２における視聴ソースが内蔵ＢＤ／ＤＶＤドライブであるかをマイコン１０５が判定する処理は、視聴ソース切換指示部１０５ａが、外部ＨＤＭＩ機器２００から入力されたＨＤＭＩ信号および内蔵ＢＤ／ＤＶＤドライブ１０４から入力されたＨＤＭＩ信号の何れをＨＤＭＩセレクタ部１０３ａが選択してＨＤＭＩレシーバ本体１０３ｂに出力するかをＨＤＭＩセレクタ部１０３ａに対して指示することをトリガーとして実行される。
【００５８】
視聴ソース切換指示部１０５ａによる切換指示は、例えば、ユーザがリモートコントローラ１１２を用いて表示デバイス１０８上に表示された入力切換メニューから外部ＨＤＭＩ機器入力および内蔵ＢＤ／ＤＶＤドライブ１０４の一方を選択する操作を行ったときになされる。例えば、ユーザが内蔵ＢＤ／ＤＶＤドライブ１０４を選択する操作を行ったときには、視聴ソース切換指示部１０５ａが、「ＨＤＭＩレシーバ１０３への視聴ソースとして（信号供給経路として）、まず内蔵ＢＤ／ＤＶＤドライブ１０４を選択せよ」という指示をＨＤＭＩセレクタ部１０３ａに送る。視聴ソース切換指示部１０５ａによる切換指示のトリガーは、基本的にはユーザの指示入力であるが、必ずしもそうとは限らない。例えば、テレビシステム１００は、チューナ１０１で受信されたテレビジョン放送を表示デバイス１０８に表示している時に、ＢＤまたはＤＶＤが内蔵ＢＤ／ＤＶＤドライブ１０４に挿入されると、ＢＤまたはＤＶＤの自動再生を開始すると共に、視聴ソースを内蔵ＢＤ／ＤＶＤドライブ１０４に切り換える構成とすることができる。したがって、視聴ソース切換指示部１０５ａによる切換指示は、ユーザの指示入力によって発生するのみならず、ＢＤまたはＤＶＤを内蔵ＢＤ／ＤＶＤドライブ１０４に挿入するというユーザの操作によっても発生する。さらに、視聴ソース切換指示部１０５ａによる切換指示は、内蔵ＢＤ／ＤＶＤドライブ１０４に限らず、外部ＨＤＭＩ機器２００に対するユーザの操作によっても発生する。例えば、テレビシステム１００は、チューナ１０１で受信されたテレビジョン放送を表示デバイス１０８に表示している時に、ＢＤまたはＤＶＤが外部ＨＤＭＩ機器２００としての外部ＢＤ／ＤＶＤドライブに挿入されると、視聴ソースを外部ＢＤ／ＤＶＤドライブに切り換える構成とすることができる。この場合、外部ＢＤ／ＤＶＤドライブが、ＢＤまたはＤＶＤの挿入を認識すると、ＢＤまたはＤＶＤの自動再生を開始すると共に、自動再生を開始したことをＨＤＭＩ信号中のＣＥＣまたはVendor Packetを使ってテレビシステム１００に通知し、視聴ソース切換指示部１０５ａがＨＤＭＩ信号中のＣＥＣまたはVendor Packetに基づいて視聴ソースを外部ＢＤ／ＤＶＤドライブに自動的に切り換える。
【００５９】
〔実施の形態２〕
本発明の他の実施の形態について図３に基づいて説明すれば、以下の通りである。なお、説明の便宜上、前記実施の形態１にて示した各部材と同一の機能を有する部材には、同一の符号を付記し、その説明を省略する。
【００６０】
本実施形態は、ＨＤＭＩバージョン１．４にて新たに導入された、ＨＤＭＩケーブルで音声信号を双方向に伝送するオーディオリターンチャンネル機能を利用するものである。本実施形態に係るＡＶシステムとしてのテレビシステム５００は、光デジタル音声出力端子１１０を省略しており、オーディオリターンチャンネル機能を備える以外は、実施の形態１のテレビシステム１００と同様の構成を備えるものである。
【００６１】
テレビシステム５００は、オーディオリターンチャンネル機能を実現するために、デジタル音声信号を光信号に変換して光デジタル音声出力端子１１０に出力する音声処理部本体１０７ｂを備える音声処理部１０７に代えて、デジタル音声信号をＨＤＭＩレシーバ５０３（後述する）に出力する音声処理部本体５０７ｂを備える音声処理部５０７を備えている。音声処理部本体５０７ｂは、デジタル音声信号を出力する機能以外は音声処理部本体１０７ｂと同様の機能を備えている。テレビシステム５００は、オーディオリターンチャンネル機能を実現するために、デジタル音声信号を片方向に伝送するＨＤＭＩレシーバ本体１０３ｂを備えるＨＤＭＩレシーバ１０３に代えて、デジタル音声信号を双方向に伝送できるＨＤＭＩレシーバ本体５０３ｂを備えるＨＤＭＩレシーバ５０３を備えている。ＨＤＭＩレシーバ本体５０３ｂは、ＨＤＭＩレシーバ本体１０３ｂが備える機能に加えて、音声処理部本体５０７ｂから入力されたデジタル音声信号をＨＤＭＩケーブルを介して外部の音声アンプ６００（後述する）へ出力する機能を有している。
【００６２】
上記外部の音声アンプ６００は、テレビシステム５００からＨＤＭＩケーブルを介して入力されたデジタル音声信号をマルチチャンネルのスピーカ３０１から出力できる形式のアナログ音声信号に変換してスピーカ３０１に出力する機能をさらに備える以外は、実施の形態１の音声アンプ３００と同様の構成を有している。
【００６３】
本実施形態の構成においても、前記の実施の形態１と同様に図２のフローチャートの動作を実現でき、前記の実施の形態１と同様の効果を得ることができる。また、テレビシステム５００と音声アンプ６００との光ケーブル接続を省くことができるので、ケーブル接続の手間を省くことができる。 
【００６４】
なお、上述した実施の形態では、外部ＨＤＭＩ機器２００からのデジタル音声信号が音声処理部５０７まで伝送された後、音声アンプ６００まで戻されるようになっていた。しかしながら、ＨＤＭＩレシーバ５０３が消音機能を備える場合には、ＨＤＭＩレシーバ５０３が外部ＨＤＭＩ機器２００からのデジタル音声信号を、音声処理部５０７を介さずに音声アンプ６００へ戻し、内蔵スピーカ１０９から音声を出力させるときにはＨＤＭＩレシーバ５０３の消音機能を利用して音声アンプ６００への出力信号を消音信号としてもよい。
【００６５】
また、図３の構成では、図１の構成にあった光デジタル音声出力端子１１０を省略しているが、光デジタル音声出力端子１１０を残しておく方が良い。それは、光デジタル音声出力端子１１０は、ＨＤＭＩバージョン１．４以降に対応していない音声アンプやＭＤ録音機器等の録音機器へデジタル音声信号を出力するためには必要だからである。
【００６６】
なお、上述の説明では、ＡＶシステムが、アナログチューナ部１０１ａ、デジタルチューナ部１０１ｂ、アナログ外部機器４００、内蔵ＢＤ／ＤＶＤドライブ１０４、および外部ＨＤＭＩ機器２００の５つの視聴ソースから出力された音声信号を利用できる場合について説明したが、これに限るものではない。ＡＶシステムは、少なくとも１つの視聴ソースから出力された２チャンネル以下の音声信号およびマルチチャンネルステレオ音声信号を利用できるものであれば、視聴ソースの数および種類は制限されるものではない。例えば、ＡＶシステムは、テレビシステム１００から、アナログチューナ部１０１ａ、外部入力部１０２、ＨＤＭＩレシーバ１０３、および内蔵ＢＤ／ＤＶＤドライブ１０４を省いた構成のテレビシステムであってもよい。また、ＡＶシステムは、テレビシステム１００から、チューナ１０１、外部入力部１０２、および内蔵ＢＤ／ＤＶＤドライブ１０４を省いた構成のスピーカ内蔵ディスプレイであってもよい。
【符号の説明】
【００６７】
１００    テレビシステム（ＡＶシステム）
１０１    チューナ
１０１ａ  アナログチューナ部
１０１ｂ  デジタルチューナ部
１０３    ＨＤＭＩレシーバ
１０４    内蔵ＢＤ／ＤＶＤドライブ（記録媒体再生手段、ＢＤドライブ）
１０５    マイコン
１０５ｂ  マルチチャンネル判別部（マルチチャンネル判別手段）
１０５ｃ  消音指示部（音声出力制御手段）
１０６    映像処理部
１０７    音声処理部
１０９    内蔵スピーカ（内蔵の音声出力手段）
１１０    光デジタル音声出力端子（音声信号出力手段）
２００    外部ＨＤＭＩ機器
３００    音声アンプ（外部の音声出力システム）
３０１    スピーカ（外部の音声出力システム）
４００    アナログ外部機器
５００    テレビシステム（ＡＶシステム）
５０３    ＨＤＭＩレシーバ
５０７    音声処理部
６００    音声アンプ（外部の音声出力システム）
【図１】
2011077843.tif 000003
【図２】
2011077843.tif 000004
【図３】
2011077843.tif 000005